(57)【要約】  【課題】  現像剤の残量に応じて第二の補正を行なうか否かを切り替えることが可能な濃度補正装置，及びそれを具備する画像形成装置を提供することにある。  【解決手段】  中間転写ベルト上に現像バイアス調節用，中間調濃度調節用のテストパターン像をそれぞれ転写させ，それらの像の濃度を検出した結果に基づいて最大画像濃度，中間調濃度をそれぞれ補正する機能を持った現像濃度調節装置であり，現像剤（トナー等）の残量を検出し，その検出結果に基づいて，前記中間調濃度の補正を行うか否かの切り替え制御が行われる現像濃度調節装置として構成される。【選択図】  図３
2006065124.tif 000002
【特許請求の範囲】
【請求項１】
画像形成装置における現像濃度調節装置であって，
中間転写ベルトに転写されたテストパターン像の濃度を検出する画像濃度検出手段と，
前記転写ベルトに現像バイアス調節用テストパターン像を転写させ，前記画像濃度検出手段による前記現像バイアス調節用テストパターン像の検出濃度に基づいて現像バイアスを調節する現像バイアス調節手段と，
前記転写ベルトに中間調濃度調節用テストパターン像を転写させ，前記画像濃度検出手段による前記中間調濃度調節用テストパターン像の検出濃度に基づいて現像の際の中間調濃度を調節する中間調濃度調節手段と，
現像剤の残量を検出する現像剤残量検出手段と，
前記現像剤残量検出手段の検出結果に基づいて前記現像バイアス調節手段のみによる濃度調節を行うか前記現像バイアス調節手段と前記中間調濃度調節手段との両方による濃度調節を行うかの切り替え制御を行う濃度調節切替制御手段と，
を具備してなることを特徴とする現像濃度調節装置。
【請求項２】
前記現像剤残量検出手段が，カラー画像形成装置における複数の色の現像剤各々について残量を検出するものであり，
前記濃度調節切替制御手段が，現像剤の色ごとに前記切り替え制御を行うものである請求項１に記載の現像濃度調節装置。
【請求項３】
前記中間調濃度調節手段が，画像の階調変換テーブル及び／又は像担持体に対する静電潜像書き込み用レーザ光の光量を調節することにより現像の際の中間調濃度を調節してなる請求項１又は２に記載の現像濃度調節装置。
【請求項４】
請求項１〜３のいずれかに記載の現像濃度調節装置を具備してなることを特徴とする画像形成装置。
【発明の詳細な説明】
【技術分野】
【０００１】
本発明は，感光体ドラム上に形成されたトナー像を中間転写ベルトを介して用紙に転写する画像形成装置で用いられる現像濃度調節装置及びそれを具備する画像形成装置に係り，詳しくはトナーの残量に応じて中間調濃度の調節を行うか否かを切り替える機能を有する現像濃度調節装置及びそれを具備する画像形成装置に関するものである。
【背景技術】
【０００２】
電子写真方式の画像形成装置は長時間の使用により，感光体ドラムの感度特性に劣化が生じ，出力画像が全体的に淡くなる，若しくはベタ画像（塗りつぶし画像）部分が忠実に再現されなくなる等，画像品質が低下する。又，長時間の使用によらなくとも，使用環境の変動，感光体ドラムの帯電条件（静電潜像の形成条件），前記感光体ドラムに現像剤（トナー）を供給する現像ローラの劣化等，様々な原因により画像品質が低下する。
従来から，このような画像品質の低下を防ぐために，以下の第一及び第二の濃度調節が行われている。
第一の濃度調節は，いわゆるベタ画像を形成したときの画像濃度を調節するものである。この第一の濃度調節では，中間転写ベルト上にテスト用の現像バイアス調節用パッチ画像（第一のテストパターン）を形成し，その現像バイアス調節用パッチ画像の濃度を濃度センサで検出した結果が，予め定められた設定濃度となるように，現像バイアスを調節するものである。
また，第二の濃度調節は，中間調濃度，つまり入力された画像濃度と，出力される画像濃度との対応関係を調節するものである。この第二の濃度調節では，前記中間転写ベルト上に複数の異なる階調（中間調濃度）の画像（第二のテストパターン）を形成して各々の画像濃度を濃度センサで検出し，その検出結果に基づいて，画像処理部において設定される入力画像濃度と出力画像濃度との対応関係である階調テーブル（濃度変換テーブル）の調節や，或いは前記感光体ドラム上に静電潜像を形成するレーザー光の光量の調節を行うものである。
このような第一及び第二の濃度調節を適宜実施することで，ベタ画像の濃度及び中間調濃度を適切な濃度に保ち，画像品質の低下を防止していた。
なお，特許文献１には，１成分現像方式による現像装置において，複数の或いは可動式の磁気センサの検出値に基づいて，トナー（現像剤）の残量検出を行うことが示されている。また，特許文献２には，２成分現像方式が用いられている画像形成装置において，トナーを現像槽に補給する補給駆動モータの回転数を入力パルス，入力電圧及びその入力時間等から検出して記憶し，前記回転数からトナー総使用量を推定し，前記トナー総使用量からトナー（現像剤）の残量検出を行う技術が開示されている。
【特許文献１】特開２００１−１０９２４８号公報
【特許文献２】特開２００４−１０９９９８号公報
【発明の開示】
【発明が解決しようとする課題】
【０００３】
しかしながら，上述の第二の濃度調節は，現像装置における前記現像剤の残量が十分である状態においては有効であるが，前記現像装置における前記現像剤の残量が不足している状態においては，前記第二のテストパターンが適正に出力されず，そのような不適正なテストパターンの画像濃度に基づいて前記第二の濃度調節が行われると，かえって形成画像の品質を低下させてしまうという問題点があった。
さらに，前記第二の濃度調節は，上述の通り中間調濃度の各階調に応じた複数の前記第二のテストパターンを形成するので前記現像剤の消費量が大きく，前記現像剤の残量が少ない状態では，多量の前記現像剤が無駄に消費されてしまうという問題点もあった。
また，上述の特許文献１，特許文献２には，上記問題点を解消する術については示されていない。
従って，本発明は上記事情に鑑みてなされたものであり，その目的とするところは，現像剤の残量が少ない場合に不適切な濃度調節やそのための無駄な現像剤の消費を防止することができる現像濃度調節装置及びそれを具備する画像形成装置を提供することにある。
【課題を解決するための手段】
【０００４】
上記目的を達成するために本発明は，中間転写ベルト上に現像バイアス調節用のテストパターン像を転写し，その濃度に基づいて現像バイアスを調節する処理を行う際に，それに加えて，同様に中間調濃度調節用のテストパターン像を転写し，その濃度に基づいて中間調濃度を調節する処理も行うか否かの切り替え制御を，現像剤の残量に基づいて行う現像濃度調節装置，或いはそれを具備する画像形成装置として構成されるものである。
このような構成とすることにより，前記現像剤の残量が少ない状態での不適切な前記中間調濃度の調節を防止することが可能であり，更に前記現像剤の無駄な消費も回避される。
ここで，前記現像剤の残量の検出が，カラー画像形成装置における複数の色の現像剤各々について行われるものであり，それらの検出結果に従って，前記複数の色各々について前記中間調濃度の調節を行うか否かの切り替え制御が行われることが考えられる。
これにより，現像剤の残量の多い色については前記中間調濃度の調節を行うことで画像品質の低下を防止し，また，残量の少ない色については前記中間調濃度の調節を行わず，前記現像剤の消費を防ぐといった適切な制御が可能となる。
【０００５】
また，前記中間調濃度の調節は，画像形成装置の制御部等に設定されている画像の階調テーブル（入力された濃度と，出力すべき濃度との対応関係であるテーブル）を調節することにより，または，感光体ドラムに静電潜像を書き込む書き込み用レーザーの光量を調節することにより，あるいは，それらの両方の手段により調節すること等が考えられる。
前記中間調濃度は，上述した前記階調テーブル，及び前記書き込み用レーザーの光量に依存しており，これらを適切に調節することで，前記中間調濃度を効果的に調節することができ，画像品質の低下を防止することができる。
【発明の効果】
【０００６】
本発明によれば，現像剤の残量に応じて中間調濃度の調節を行うか否かが切り替えられ，前記現像剤の残量が多い状態では前記中間調濃度の調節を行うことにより画像品質の低下を防止すること，また前記現像剤の残量が少ない状態では，その状態で行われる不適切な前記中間調濃度の調節を防止すること及び前記現像剤の無駄な消費を抑えることが可能である。
【発明を実施するための最良の形態】
【０００７】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る現像濃度調節装置を具備する複写機Ａの概略構成図。図２は本発明の実施の形態に係る現像濃度調節装置における第一の濃度調節（ベタ画像の濃度の調節）及び第二の濃度調節（中間調濃度調節）それぞれの手順を示すフローチャート，図３は本発明の実施の形態に係る現像濃度調節装置による現像濃度調節処理の手順を示すフローチャート，図４は階調テーブルの一例を示すグラフである。
【０００８】
図１に示される本発明の実施の形態に係る現像濃度調節装置を具備する複写機Ａの概略構成図である。図１に示される複写機Ａの構成は大別して，原稿読み取り部Ｘ１，給紙部Ｘ２，印字部Ｘ３，排紙部Ｘ４に分類される。前記原稿読み取り部Ｘ１は，前記給紙部Ｘ２の上方に配設され，前記印字部Ｘ３は前記原稿読み取り部Ｘ１と前記給紙部Ｘ２の中間部位に配設されている。
当該複写機Ａ（画像形成装置の一例）は，前記原稿読み取り部Ｘ１に設けられている制御部９（現像濃度調節装置の一部の一例）の現像濃度調節機能において，従来例の複写機とは異なるものであり，これについては後述する。
前記原稿読み取り部Ｘ１は，原稿セット部１，自動原稿送り装置（以下，ＡＤＦ）２，原稿載置台３，原稿排出部４，露光装置５，導光ミラー６ａ〜６ｃ，光学レンズ７，ＣＣＤ８，制御部９等から構成される。
前記ＡＤＦ２は，前記複写機Ａの外装前面部等に配置された，不図示の操作パネルからなされた印字要求に従って，原稿セット部１にセットされた原稿Ｓを，複数の搬送ローラＲを介して１枚ずつ順次搬送するものである。前記ＡＤＦ２によって搬送された原稿Ｓは，例えばプラテンガラス等からなる前記原稿載置台３上の所定の読取位置を通って副走査方向に搬送され，その後，前記原稿排出部４へ排出される。
【０００９】
また，前記露光装置５により，前記原稿載置台３の所定の読取位置を副走査方向（図中，左側から右側へ向かう方向）に移動する原稿Ｓに光が照射される。上記原稿Ｓからの反射光は前記導光ミラー６ａ，６ｂ，６ｃにより導光され，前記光学レンズ７により集光される。また，前記ＣＣＤ８により，反射光に含まれる画像情報が電気信号に変換され，前記制御部９に読み込まれる。
前記制御部９は，ＭＰＵ及びＲＯＭ，ＲＡＭ等の周辺装置を備え，そのＲＯＭに予め記憶された制御プログラムを実行することにより，画像データの画像処理などを含めた，当該複写機Ａの統括的な制御を行うものである。また，前記制御部９は，本発明に係る現像濃度調節装置としての主要な働きも兼ねるものであり，現像バイアス調節手段，中間濃度調節手段，濃度調節切替制御手段としての役割を担うものである。
【００１０】
前記給紙部Ｘ２は，給紙カセット１０，給紙ローラ１１，用紙残量計１２等から概略構成される。前記給紙カセット１０には，予め印刷用紙Ｓ’が載置されている。上述の印字要求により，前記制御部９により前記給紙ローラ１１が回転駆動され，前記給紙カセット１０に載置されている前記印刷用紙Ｓ’を，前記印字部Ｘ３に搬送する。前記給紙カセット１０に載置されている前記印刷用紙Ｓ’の残量は前記用紙残量計１２により検出されており，残量が少ない状態では，当該複写機Ａの外装に設けられた表示パネルから，ユーザに用紙の補給を促す所定の表示を行う。
【００１１】
前記印字部Ｘ３は，搬送ローラ１３，感光体ドラム１４，ＬＳＵユニット１５，各種ミラー１６ａ，１６ｂ，ポリゴンミラー１７，帯電ユニット１８，現像装置１９，定着装置２０，濃度計２１，中間転写ベルト２２，磁気センサ２３等により概略構成される。
前記印刷用紙Ｓ’は，前記搬送ローラ１３により搬送される。前記感光体ドラム１４は帯電ユニット１８により，表面が一様に帯電されている。前記ＬＳＵユニット１５からの前記画像情報に基づくレーザ光は，各種ミラー１６ａ，１６ｂ及びポリゴンミラー１７，また，不図示の各種レンズを通じて感光体ドラム１４へ照射され，これにより，前記感光体ドラム１４上には静電潜像が形成される。前記現像装置１９に設けられた現像ローラ上のトナーが，前記感光体ドラム１４面上に引き寄せられ，静電潜像は前記トナーにより，前記感光体ドラム１４と前記現像ローラの電位ギャップ（現像バイアス）に応じてトナー像として顕像化される。前記現像バイアスの調節は，前記現像装置１９に設けられ，前記感光体ドラム１４に対向配置された現像ローラに対し，付与する電位を前記制御部９により調節することによって行われるものとする。
【００１２】
前記感光体ドラム１４上で形成された前記トナー像は，前記中間転写ベルト２２に転写され，その中間転写ベルト２２の駆動により，前記搬送ローラ１３により搬送された前記印刷用紙Ｓ’に転写される。そして，前記トナー像が転写された前記印刷用紙Ｓ’は前記定着装置２０に搬送され，例えば熱ローラ等により前記印刷用紙Ｓ’に定着される。ここで，中間転写ベルト２２上のトナー像の濃度は，ＣＣＤ素子等によりトナー像の輝度を検出してその輝度から濃度を求める前記濃度計２１（画像濃度検出手段の一例）により検出されており，後述の各濃度調節を行う際には，前記中間転写ベルト２２上に生成されたパッチ画像（テストパターン像の具体例）の前記濃度計２１による検出値がその各濃度調節に用いられる。前記現像装置１９における前記トナーの残量は，後述のように磁気センサ２３により検出される。
前記トナー像が定着された前記印刷用紙Ｓ’は，前記排紙部Ｘ４に搬送され，排紙される。
【００１３】
前記感光体ドラム１４上に形成される前記トナー像のベタ画像の濃度及び中間調濃度は，様々な要因により経時的に劣化するため，例えば，当該複写機Ａの前記制御部９への電源投入時や，所定枚数の画像形成がなされる毎等の適宜のタイミングで実行する必用がある。
前記感光体ドラム１４上に形成されるトナー像の濃度は，いわゆるベタ画像の濃度が前記現像バイアスに依存し，中間調濃度が前記ＬＳＵユニット１５によるレーザー光の光量や，前記制御部９に予め記憶されている階調テーブルに依存している。
本例では，ベタ画像の濃度の調節は前記制御部９（現像バイアス調節手段の一例）が前記現像バイアスをする調節することにより，前記中間調濃度の調節は前記制御部９（中間調濃度調節手段の一例）が前記レーザー光の光量を調節することにより行われるものとする。以下，前記現像バイアスの調節によるベタ画像の濃度調節を第一の濃度調節と，前記レーザ光の光量調節による中間調濃度調節を第二の濃度調節と呼ぶ。
【００１４】
図２（ａ），（ｂ）に示されるのは，前記第一の濃度調節（ベタ画像の濃度調節），前記第二の濃度調節（中間調濃度調節）それぞれの手順の一例を示すフローチャート図である。以下に，図２（ａ）を参照しつつ，前記第一の濃度調節の手順の一例を説明する。尚，Ｓ１，Ｓ２…はステップ（処理手順）の識別記号を表している。
前記制御部９は，予め定められた所定の現像バイアス調節用のベタ画像のデータであるパッチ画像データを生成する（Ｓ１）。
さらに前記制御部９は，前記帯電ユニット１８の制御を行い，前記現像バイアスを最小化（予め定められた最小レベルに設定）する（Ｓ２）。
この状態で，前記制御部９は，前記ＬＳＵユニット１５及び前記現像装置１９を制御することにより，ステップＳ１で生成した現像バイアス調節用パッチ画像データ（ベタ画像データ）に基づくトナー像（現像バイアス調節用パッチ画像）を，前記中間転写ベルト２２に転写させる（Ｓ３）。このようにして前記中間転写ベルト２２上に転写された前記トナー像（現像バイアス調節用パッチ画像）の濃度は，前記濃度計２１により検出され，前記制御部９に入力される（Ｓ４）。
【００１５】
次に，前記制御部９は，前記帯電ユニット１８を制御することにより前記現像バイアスを最大化（予め定められた最大レベルに設定）する（Ｓ５）。この状態で，前記制御部９は，前記ＬＳＵユニット１５及び前記現像装置１９を制御することにより，ステップＳ１で生成した現像バイアス調節用パッチ画像データ（ベタ画像データ）に基づくトナー像（現像バイアス調節用パッチ画像）を，前記中間転写ベルト２２に転写させる（Ｓ６）。前記中間転写ベルト２２上に転写された前記トナー像の濃度は，前記濃度計２１により検出され，前記制御部９に入力される（Ｓ７）。
以上のように，前記制御部９には，前記現像バイアスが最大レベルの状態及び最小レベルの状態における前記現像バイアス調節用パッチ画像の濃度が入力される。これらの入力値から，前記制御部９により，予め定められた設定ベタ画像濃度のベタ画像を生成するのに必要な前記現像バイアスが決定（算出）され（Ｓ８），その決定値が現像バイアスの設定値として前記制御部９が備える記憶部に記録される。
このように，前記制御部９（現像バイアス調節手段の一例）は，現像バイアス調節用パッチ画像（現像バイアス調節用テストパターン像の一例）を前記中間転写ベルト２２に転写させ，前記濃度計２１（濃度検出手段の一例）による検出濃度に基づいて現像バイアスを調節するものである。
【００１６】
また，前記第二の濃度調節は，例えば図２（ｂ）に示される手順で行われる。
本実施形態における複写機Ａでは，前述したように，前記第二の濃度調節（中間調濃度調節）は，前記ＬＳＵユニット１５におけるレーザ光の光量調節により行われる。
また，前記レーザ光の光量調節は，最小濃度の階調から最大濃度の階調までの範囲内で予め定められた異なるｎ個（例えば，ｎ＝５〜６程度）の階調（中間調濃度）のパッチ画像（以下，中間調濃度調整用パッチ画像という）を形成し，それらパッチ画像の濃度検出値に基づいて，レーザ光の光量（出力）設定に用いられるレーザー光量テーブルを調節（設定）することにより行われる。尚，Ｓ１０１，Ｓ１０２…はステップ（処理手順）の識別記号を表しており，変数ｉは上述のｎ個の階調各々の番号（ｉ＝１〜ｎ）を表すものとする。
まず，前記制御部９により，予め定められた所定の，ｉ＝１〜ｎの各階調の中間調濃度調節用パッチ画像データを順次生成する（Ｓ１０１）。
さらに，前記制御部９は，前記ＬＳＵユニット１５及び前記現像装置１９を制御し，ステップＳ１０１で生成したｉ＝１〜ｎの各階調の前記中間調濃度調節用パッチ画像データに基づくトナー像（パッチ画像）各々を，順次，前記中間転写ベルト２２に転写させる（Ｓ１０２）。
そして，このようにして前記中間転写ベルト２２上に転写されたｉ＝１〜ｎ各々の階調の前記トナー像の濃度が，前記濃度計２１により順次検出され，前記制御部９に入力される（Ｓ１０３）。
最後に，前記制御部９は，ｎ階調のトナー像各々の濃度検出値に基づいて，最小濃度の階調から最大濃度の階調までの全ての各階調に対する適切なレーザー光量値が決定され，それらの決定値を元に前記レーザー光量テーブルが調節（更新）される（Ｓ１０４）。
例えば，ｉ＝１〜ｎに対するトナー像（パッチ画像）各々に対応した基準濃度と基準レーザ光量とを予め前記制御部９に記憶しておき，その基準濃度と実際の検出濃度との差分に応じて前記基準レーザ光量各々を補正し，前記基準濃度と補正後のレーザ光量との対応関係を前記レーザ光量テーブルとして前記制御部９に記憶させる。
このように，前記制御部９（中間調濃度調節手段の一例）は，前記中間調濃度調節用パッチ画像（中間調濃度調節用テストパターン像の一例）を前記中間転写ベルト２２に転写させ，前記濃度計２１（濃度検出手段の一例）による検出濃度に基づいて中間調濃度を調節するものである。
【００１７】
ところで，従来は，前記第一の濃度調節を行う場合，常に前記第二の濃度調節も併せて行われていた。
一方，前記複写機Ａでは，前記現像装置１９に残存する前記トナーの残量が検出され，その検出結果に応じて，前記第二の濃度調節を行うか否かが切り替えられる。
前記トナー残量の検出方法は，１成分現像方式と２成分現像方式とでは異なるものであるが，ここでは１成分現像方式が用いられているものとして説明を行う。１成分現像方式においては磁性トナーが用いられることが多く，前記トナー残量に応じて前記現像装置１９における不図示のトナータンクの磁力が変化する。この場合，例えば特許文献１に示されるように，前記現像装置１９の外部に前記磁力を検出する前記磁気センサ２３（現像剤残量検出手段の一部の一例）を設けておき，前記制御部９が前記磁気センサ２３による検出値に基づいて前記トナー（現像剤の一例）の残量推定（検出の一例）を行うものとする。
尚，前記制御部９及び前記磁気センサが現像剤残量検出手段の一例であり，前記制御部９，前記濃度計２１，前記磁気センサ２３により，本発明の実施の形態に係る現像濃度調節装置が構成される。
【００１８】
以下，図３に示すフローチャートを参照しつつ，本発明の実施の形態に係る現像濃度調節装置（前記制御部９）による現像濃度調節処理の手順について説明する。図３に示す処理は，前記制御部９への電源投入時や，所定枚数の画像形成がなされる毎等の適宜のタイミングで実行される。尚，Ｓ２０１，Ｓ２０２…はステップ（処理手順）の識別記号を表している。
まず，前記磁気センサ２３による前記トナータンク周辺部の磁力の検出値から，前記現像装置１９における前記トナーの残量の推定が行われる（Ｓ２０１）。
次に，前記第一の濃度調節が行われ（Ｓ２０２），その後，ステップＳ２０１において推定された前記トナーの残量が，予め定められた閾値以上であるか否かが判定される（Ｓ２０３）。前記トナーの残量が前記閾値以上である場合には（Ｓ２０３ＹＥＳ），前記第二の濃度調節が行われ（Ｓ２０４）た後，当該現像濃度調節処理は終了する。一方，前記トナーの残量が前記閾値未満である場合には（Ｓ２０３ＮＯ），前記第二の濃度調節が行われることなくそのまま当該現像濃度調節処理は終了する。尚，Ｓ２０１とＳ２０２の手順を入れ替えても何ら支障はない。
このように，前記制御部９（濃度調節切替手段の一例）は，前記磁気センサ２３（現像剤残量検出手段の一部の一例）の検出値から前記トナー（現像剤の一例）残量を推定し，その結果に基づいて前記第一の濃度調節（現像バイアス調節）のみを行うか，前記第一の濃度調節及び前記第二の濃度調節（中間調濃度調節）の両方による濃度調節を行うか，の切り替え制御を行うものである。
【実施例】
【００１９】
本発明は，カラー画像を形成するカラープリンタやカラー複写機等のカラー画像形成装置に適用することも可能である。その場合，前記トナー（現像剤）は複数種類（複数の色）が用いられ，それぞれに対して独立に前記第一の濃度調節，及び前記第二の濃度調節が行われる。
従って，カラー画像形成装置においては，例えば１成分磁性トナーが用いられる場合には，前記磁気センサ２３（現像剤残量検出手段）を用いる等して前記トナー各々の残量を検出し，前記制御部９が前記トナー各々の残量に応じて，前記トナーの種類（色）毎に適宜前記第二の濃度調節を行うか否かを切り替えるものとすれば良い。
また，一般的な画像形成装置では，図４に示されるような，入力された画像濃度と出力する画像濃度との対応関係である階調テーブルが予め記憶手段に記憶されており，その階調テーブルに従って画像濃度変換（階調変換）が行われる。上述の実施形態では，レーザー光量の出力レベル（出力する画像濃度と前記レーザー光の出力レベルとの対応関係）を調節することにより，中間調濃度の調節（第二の濃度調節）を行う例について説明したが，前記階調テーブルを調節することによっても同様の中間調濃度調節を行うことができる。例えば，上述したような，数個の異なる階調に対する中間調濃度調節用パッチ画像データを生成し，それらに基づいて現像されたトナー像を前記中間転写ベルト２２上に転写させ，それらのトナー像の濃度検出値から前記階調テーブルにおける各階調の調節値を決定し，前記階調テーブルを調節する方法を用いることも可能である。この場合，前記濃度検出値による前記調節値の決定方法は，予め複数種類記憶されているガンマカーブのうちの適切なものを前記濃度検出結果に従って選択し，選択されたガンマカーブに基づいて前記各階調の調節値を決定することにより，前記階調テーブルを調節する等の，従来公知の方法を用いればよい。
また，前記制御部９により，前記レーザー光の出力レベル及び前記階調テーブルの両方を調節する構成も一例として考えられる。
【００２０】
上述の実施形態では１成分現像方式の画像形成装置を例に挙げて説明したが，本発明の適用範囲はこれに限られるものではなく，２成分現像方式の画像形成装置を用いることも可能である。
その場合，前記現像装置１９の現像槽内の透磁率とトナー濃度（キャリアとトナーとの混合層におけるトナーの占有率）との相関が高いことが知られているので，現像槽内の透磁率を検出する磁束センサを前記トナーの残量の検出手段として用いるものが考えられる。
また，上述の実施形態では複写機を具体例に挙げて説明したが，プリンタ，ファクシミリ装置，もしくはこれら複数の機能を持った複合機などの画像形成装置に適用することも当然可能である。
【図面の簡単な説明】
【００２１】
【図１】本発明の実施の形態に係る現像濃度調節装置を具備する複写機Ａの概略構成図。
【図２】本発明の実施の形態に係る現像濃度調節装置における第一の濃度調節（ベタ画像の濃度の調節）及び第二の濃度調節（中間調濃度調節）それぞれの手順を示すフローチャート。
【図３】本発明の実施の形態に係る現像濃度調節装置における現像濃度調節処理の手順を示すフローチャート。
【図４】階調テーブルの一例を示すグラフ。
【符号の説明】
【００２２】
Ａ…本発明の実施の形態に係る現像濃度調節装置を具備した複写機
Ｘ１…原稿読み取り部
Ｘ２…給紙部
Ｘ３…印字部
Ｘ４…排紙部
１…原稿セット部
２…自動原稿送り装置
３…原稿載置台
４…原稿排出部
５…露光装置
６…導光ミラー
７…光学レンズ
８…ＣＣＤ
９…制御部
１０…給紙カセット
１１…給紙ローラ
１２…用紙残量計
１３…搬送ローラ
１４…感光体ドラム
１５…ＬＳＵユニット
１６…各種ミラー
１７…ポリゴンミラー
１８…帯電ユニット
１９…現像装置
２０…定着装置
２１…濃度計
２２…中間転写ベルト
２３…磁気センサ
【図１】
2006065124.tif 000003
【図２】
2006065124.tif 000004
【図３】
2006065124.tif 000005
【図４】
2006065124.tif 000006